(57)【要約】      （修正有）【課題】高齢者や児童をはじめ近隣地域で暮らす様々な人が、視覚を通じて直感的かつ容易に理解ができ、居住地等から避難場所までの最適な避難経路の説明及び周知に適する住宅地の立体地図模型を提供する。【解決手段】基準盤面１０に接着した平面地図１１と、平面地図の上面に積層する発泡樹脂体２０又は薄板体３０と、発泡樹脂体又は薄板体のさらに上面に接着する５色の色彩が付された複数の紙４１、４２、４３、４４、４５等とで構成され、平面地図の縮尺よりも高さ方向の縮尺の方を大きくした住宅地の立体地図模型１である。【選択図】図１
0003185106.tif 000002
【実用新案登録請求の範囲】
【請求項１】
基準盤面に固着した平面地図と、
前記平面地図の上面に１枚を固着又は複数枚を積層固着する発泡樹脂体と、
前記発泡樹脂体の上面に固着する薄板体と、
からなり、
前記平面地図の縮尺よりも高さ方向の縮尺の方が大きい住宅地の立体地図模型。
【請求項２】
前記発泡樹脂体又は前記薄板体の表面に色彩を付した紙を固着付加することにより、海抜高低に応じて異なる色彩とし、かつ、同一の色彩の中でも海抜高低差が目視で確認可能である請求項１に記載の住宅地の立体地図模型。
【考案の詳細な説明】
【技術分野】
【０００１】
本願考案は、住宅地の高低を立体的に示し視覚的に認識できるようにした住宅地の立体地図模型に関するものである。
【背景技術】
【０００２】
昨今、津波が発生した場合に備え、近隣地域で暮らす様々な人に最適な避難経路を認識してもらうべく、様々な避難経路マップ（防災マップ）が作成又は考案されている。
【０００３】
また、立体地形図として、平面で表現されている現在の地形図を精度を保ち立体にすることにより、地形図の起伏の判読を容易にし、地形図の新しい利用方法を提供した高精度の立体地形図及びその作製方法が開示されている（例えば、特許文献１）。
【先行技術文献】
【特許文献】
【０００４】
【特許文献１】特開平０７−２９５４７２号公報
【考案の概要】
【考案が解決しようとする課題】
【０００５】
現在、作成され又は考案されている避難経路マップ（防災マップ）は平面であるため、普段はマップ上で避難経路を認識し記憶していたとしても、いざ必要な時に記憶しているマップに基づいて実際に避難できるかどうかはわからないという意見を、ご高齢者、児童等から聞く。
【０００６】
また、特許文献１の高精度の立体地形図においては、立体であるため土地の高低差を視覚的に認識でき得るが、その実施例によると「地形図の縮尺が２万５千分の１で１０メートルおきに表現される等高線間の高さに合致する塩化ビニルの厚みは０．４ミリメートル」との記載から推測するに、山間部の高低差を理解するためには適しているとしても、居住地等からの避難経路を説明及び周知をするための利用は想定されていないものと考える。避難経路の説明及び周知においては、人の移動を考慮する必要があり、１０メートルおきの高低差表示では現実的ではないからである。
【０００７】
そこで、津波が発生した場合に備え、居住地、通園地、通学地又は職場等から避難場所までの最適な避難経路を説明及び周知するために適し、視覚を通じて直感的に記憶ができ、いざ必要な時に、その記憶に基づいて実際に避難でき得る住宅地の立体地図模型を提供することを課題とする。
【課題を解決するための手段】
【０００８】
本願考案は、上述の課題を解決するために、縦横方向の縮尺（以下、「平面方向の縮尺」という。）よりも、高さ方向の縮尺の方が大きく、かつ、避難経路の説明及び周知をするために必要である、人が移動する道路（細い生活道路も含まれる）を包含する住宅地の立体地図模型を提供する。
【０００９】
また、本願考案は、上述の課題を解決するために、住宅地の同程度の高低を同一の色彩で示した立体地図模型を提供する。
【００１０】
また、本願考案は、上述の課題を解決するために、同一の色彩で示した同程度の高低部分を複数の薄板体を用いてさらに詳細に、立体的に高低を示した立体地図模型を提供する。
【考案の効果】
【００１１】
本願考案の住宅地の立体地図模型は、平面方向の縮尺よりも高さ方向の縮尺の方が大きいため、住宅地の高低が視覚を通じて、直感的に理解ができ、児童やご高齢者等への説明及び周知に効果的である。
【００１２】
また、本願考案の住宅地の立体地図模型は、住宅地の同程度の高低を同一の色彩で示しているため、住宅地の高低が視覚を通じて、より直感的に理解ができる。
【００１３】
また、本願考案の住宅地の立体地図模型は、同一の色彩で示した同程度の高低部分を複数の薄板体を用いてさらに詳細に、立体的に高低を示しているため、住宅地の詳細な高低が視覚を通じて、より直感的に理解ができる。
【図面の簡単な説明】
【００１４】
【図１】図１は、立体地図模型の全体図である。
【図２】図２は、実施例１の立体地図模型の切断断面図である。
【図３】図３は、実施例２の立体地図模型の切断断面図である。
【考案を実施するための形態】
【００１５】
地域防災における避難経路の説明及び周知に利用する避難経路マップとして実施する。
【実施例１】
【００１６】
立体地図模型の構成について、図１及び図２に従い説明する。
【００１７】
立体地図模型（１）は、基準盤面（１０）の表面に固着した平面方向の縮尺が１０００分の１の平面地図（１１）と、前記基準盤面を囲む枠体（１２）と、住宅地の１メートル単位の高低差を立体的に示す厚さ５ミリメートルの発泡樹脂体（２０）と、住宅地の１メートル未満の高低差を立体的に示す厚さ１ミリメートルから４ミリメートルの４種類の木製薄板体（３０）と、住宅地の１メートル単位の高低差を視覚的に示す５種類の異なる色彩を付した紙（４０）とで構成する（図１）。
【００１８】
前記平面地図（１１）の平面方向の縮尺は、１０００分の１に限られないが、避難経路の説明及び周知に利用する住宅地の地図であることから、生活道路をも認識できる程度の縮尺であることが好ましい。
【００１９】
前記発泡樹脂体（２０）は、厚さ５ミリメートルのものを１種類だけであり、海抜１メートル毎に１枚ずつ積層接着することにより住宅地の高低差を立体的に示す。したがって、本実施例では、高さ方向の縮尺が２００分の１となり、平面方向の縮尺の１０００分の１よりも大きい。
【００２０】
前記木製薄板体（３０）は、厚さ１ミリメートルの薄板（３１）、厚さ２ミリメートルの薄板（３２）、厚さ３ミリメートルの薄板（３３）及び厚さ４ミリメートルの薄板（３４）の４種類を準備し、海抜２０センチメートルの住宅地の高低差を立体的に示す（図２）。
【００２１】
前記薄板体（３０）について、耐久性、重量、コストなどを考慮して木製としているが、同等又は優れた性質を有するその他の材質に変更することも可能である。
【００２２】
前記色彩を付した紙（４０）は、海抜１メートル台の高さ、海抜２メートル台の高さ、海抜３メートル台の高さ、海抜４メートル台の高さ、海抜５メートル台の高さが、視覚的に区別できるように、それぞれ異なる色彩の紙に前記平面地図（１１）を複製しており、必要な部分を切り取った後に、前記発泡樹脂体（２０）又は前記木製薄板体（３０）の表面に接着することにより、視覚を通じてより直感的に住宅地の高低が認識できるように工夫している。なお、住宅地の高さが６メートル台以上に達する地域の場合には、６メートル台の高さ、７メートル台の高さ等が、視覚的に区別できるように、さらに異なる色彩の紙を追加することも可能である。
【００２３】
次に、立体地図模型の製作工程について、図２に従い説明する。
【００２４】
基準盤面（１０）に、住宅地の平面地図（１１）を接着などにより固着する。
【００２５】
前記平面地図（１１）の中で海抜１メートル以上の住宅地部分に、発泡樹脂体（２０）を１枚接着する。
【００２６】
前記発泡樹脂体（２０）を１枚接着した中で、海抜２メートル以上の住宅地部分にさらに発泡樹脂体（２０）をもう１枚積層接着し、発泡樹脂体を２段にする。
【００２７】
同様に、海抜３メートル以上の住宅地部分には発泡樹脂体（２０）を３段にし、海抜４メートル以上の住宅地部分には発泡樹脂体（２０）を４段にし、海抜５メートル以上の住宅地部分には発泡樹脂体（２０）を５段に積層する。これにより、海抜１メートル単位の高低差が立体的に示される。
【００２８】
次に、１段目の発泡樹脂体（２０）の中で、海抜１メートル２０センチメートル以上１メートル４０センチメートル未満の住宅地部分に、厚さ１ミリメートルの薄板（３１）を接着する。
【００２９】
同様に、１段目の発泡樹脂体（２０）の中で海抜１メートル４０センチメートル以上１メートル６０センチメートル未満の住宅地部分に、厚さ２ミリメートルの薄板（３２）を接着し、海抜１メートル６０センチメートル以上１メートル８０センチメートル未満の住宅地部分に、厚さ３ミリメートルの薄板（３３）を接着し、海抜１メートル８０センチメートル以上２メートル未満の住宅地部分に、厚さ４ミリメートルの薄板（３４）を接着する。これにより、海抜２０センチメートル単位の高低差が立体的に示される。
【００３０】
同様に、２段目の発泡樹脂体（２０）の表面にも、厚さ１ミリメートルから厚さ４ミリメートルの薄板（３１から３４）を接着、３段目の発泡樹脂体（２０）の表面にも厚さ１ミリメートルから厚さ４ミリメートルの薄板（３１から３４）を接着、４段目の発泡樹脂体（２０）の表面にも厚さ１ミリメートルから厚さ４ミリメートルの薄板（３１から３４）を接着、５段目の発泡樹脂体（２０）の表面にも厚さ１ミリメートルから厚さ４ミリメートルの薄板（３１から３４）を接着する。これにより、海抜２０センチメートル単位の高低差が立体的に示される。
【００３１】
次に、海抜１メートル台の住宅地部分である、１段目の発泡樹脂体（２０）の表面、前記１段目の発泡樹脂体の上に厚さ１ミリメートルの薄板（３１）を積層した表面、前記１段目の発泡樹脂体の上に厚さ２ミリメートルの薄板（３２）を積層した表面、前記１段目の発泡樹脂体の上に厚さ３ミリメートルの薄板（３３）を積層した表面、前記１段目の発泡樹脂体の上に厚さ４ミリメートルの薄板（３４）を積層した表面に、前記平面地図（１１）を印刷したオレンジ色の紙（４１）を接着する。これにより、海抜１メートル台の住宅地はオレンジ色にあらわれ、かつ、オレンジ色の住宅地の中でも高低差が目視で確認可能となる。
【００３２】
同様に、海抜２メートル台の住宅地部分には、前記平面地図（１１）を印刷したびわ色の紙（４２）を接着する。これにより、海抜２メートル台の住宅地はびわ色にあらわれ、かつ、びわ色の住宅地の中でも高低差が目視で確認可能となる。
【００３３】
同様に、海抜３メートル台の住宅地部分には、前記平面地図（１１）を印刷した桃色の紙（４３）を接着する。これにより、海抜３メートル台の住宅地は桃色にあらわれ、かつ、桃色の住宅地の中でも高低差が目視で確認可能となる。
【００３４】
同様に、海抜４メートル台の住宅地部分には、前記平面地図（１１）を印刷したりんどう色の紙（４４）を接着する。これにより、海抜４メートル台の住宅地はりんどう色にあらわれ、かつ、りんどう色の住宅地の中でも高低差が目視で確認可能となる。
【００３５】
同様に、海抜５メートル台の住宅地部分には、前記平面地図（１１）を印刷した藤色の紙（４５）を接着する。これにより、海抜５メートル台の住宅地は藤色にあらわれ、かつ、藤色の住宅地の中でも高低差が目視で確認可能となる。
【００３６】
上述のごとく、住宅地の地図の平面方向の縮尺（１０００分の１）よりも、高さ方向の縮尺（２００分の１）を大きくしたことにより、住宅地の高低差が際立って立体的に示されるため（地図の縦横方向（平面）よりも高さ方向の高低が強調されるため）、閲覧者は、視覚を通じて直感的に高低差を認識できる。また、１メートル毎の高低差については、色彩を付した紙により視覚的に区別されているため、さらに直感的に高低差を認識することができる。
【実施例２】
【００３７】
実施例２の立体地図模型は高さ方向の縮尺を１００分の１にした立体地図模型であり、その構成について、図１及び図３に従い実施例１と異なる部分のみについて説明する。
【００３８】
立体地図模型（１）は、基準盤面（１０）の表面に固着した平面方向の縮尺が１０００分の１の平面地図（１１）と、前記基準盤面を囲む枠体（１２）と、住宅地の１メートル単位の高低差を立体的に示す厚さ１０ミリメートルの発泡樹脂体（２０）と、住宅地の１メートル未満の高低差を立体的に示す厚さ２ミリメートルから８ミリメートルの４種類の木製薄板体（３０）と、住宅地の1メートル単位の高低差を視覚的に示す５種類の異なる色彩を付した紙（４０）とで構成する（図１及び図３）。
【００３９】
前記発泡樹脂体（２０）は、厚さ１０ミリメートルのものを１種類だけであり、海抜１メートル毎に１枚ずつ積層接着することにより住宅地の高低差を立体的に示す。したがって、本実施例では、高さ方向の縮尺が１００分の１となり、平面方向の縮尺の１０００分の１よりも大きい。
【００４０】
前記木製薄板体（３０）は、厚さ２ミリメートルの薄板（３２）、厚さ４ミリメートルの薄板（３４）、厚さ６ミリメートルの薄板（３５）及び厚さ８ミリメートルの薄板（３６）の４種類を準備し、海抜２０センチメートルの住宅地の高低差を立体的に示す（図３）。
【００４１】
次に、立体地図模型の製作工程について、図３に従い説明する。
【００４２】
基準盤面（１０）に、住宅地の平面地図（１１）を接着などにより固着し、前記平面地図（１１）の中で海抜１メートル以上の住宅地部分に、発泡樹脂体（２０）を１枚接着する。
【００４３】
前記発泡樹脂体（２０）を１枚接着した中で、海抜２メートル以上の住宅地部分にさらに発泡樹脂体（２０）をもう１枚積層接着し、発泡樹脂体を２段にし、同様に、海抜３メートル以上の住宅地部分には発泡樹脂体（２０）を３段にし、海抜４メートル以上の住宅地部分には発泡樹脂体（２０）を４段にし、海抜５メートル以上の住宅地部分には発泡樹脂体（２０）を５段に積層する。これにより、海抜１メートル単位の高低差が立体的に示される。
【００４４】
次に、１段目の発泡樹脂体（２０）の中で、海抜１メートル２０センチメートル以上１メートル４０センチメートル未満の住宅地部分に、厚さ２ミリメートルの薄板（３２）を接着する。
【００４５】
同様に、１段目の発泡樹脂体（２０）の中で海抜１メートル４０センチメートル以上１メートル６０センチメートル未満の住宅地部分に、厚さ４ミリメートルの薄板（３４）を接着し、海抜１メートル６０センチメートル以上１メートル８０センチメートル未満の住宅地部分に、厚さ６ミリメートルの薄板（３５）を接着し、海抜１メートル８０センチメートル以上２メートル未満の住宅地部分に、厚さ８ミリメートルの薄板（３６）を接着する。これにより、海抜２０センチメートル単位の高低差が立体的に示される。
【００４６】
同様に、２段目の発泡樹脂体（２０）の表面にも、厚さ２ミリメートルから厚さ８ミリメートルの薄板（３２、３４、３５及び３６）を接着、３段目の発泡樹脂体（２０）の表面にも厚さ２ミリメートルから厚さ８ミリメートルの薄板を接着、４段目の発泡樹脂体（２０）の表面にも厚さ２ミリメートルから厚さ８ミリメートルの薄板を接着、５段目の発泡樹脂体（２０）の表面にも厚さ２ミリメートルから厚さ８ミリメートルの薄板を接着する。これにより、海抜２０センチメートル単位の高低差が立体的に示される。
【００４７】
次に、海抜１メートル台の住宅地部分である、１段目の発泡樹脂体（２０）の表面、前記１段目の発泡樹脂体の上に厚さ２ミリメートルの薄板（３２）を積層した表面、前記１段目の発泡樹脂体の上に厚さ４ミリメートルの薄板（３４）を積層した表面、前記１段目の発泡樹脂体の上に厚さ６ミリメートルの薄板（３５）を積層した表面、前記１段目の発泡樹脂体の上に厚さ８ミリメートルの薄板（３６）を積層した表面に、前記平面地図（１１）を印刷したオレンジ色の紙（４１）を接着する。これにより、海抜１メートル台の住宅地はオレンジ色にあらわれ、かつ、オレンジ色の住宅地の中でも高低差が目視で確認可能となる。
【００４８】
同様に、海抜２メートル台の住宅地部分には、前記平面地図（１１）を印刷したびわ色の紙（４２）を接着する。これにより、海抜２メートル台の住宅地はびわ色にあらわれ、かつ、びわ色の住宅地の中でも高低差が目視で確認可能となる。
【００４９】
同様に、海抜３メートル台の住宅地部分には、前記平面地図（１１）を印刷した桃色の紙（４３）を接着する。これにより、海抜３メートル台の住宅地は桃色にあらわれ、かつ、桃色の住宅地の中でも高低差が目視で確認可能となる。
【００５０】
同様に、海抜４メートル台の住宅地部分には、前記平面地図（１１）を印刷したりんどう色の紙（４４）を接着する。これにより、海抜４メートル台の住宅地はりんどう色にあらわれ、かつ、りんどう色の住宅地の中でも高低差が目視で確認可能となる。
【００５１】
同様に、海抜５メートル台の住宅地部分には、前記平面地図（１１）を印刷した藤色の紙（４５）を接着する。これにより、海抜５メートル台の住宅地は藤色にあらわれ、かつ、藤色の住宅地の中でも高低差が目視で確認可能となる。
【００５２】
上述のごとく、住宅地の地図の平面方向の縮尺（１０００分の１）よりも、高さ方向の縮尺（１００分の１）を大きくしたことにより、住宅地の高低差が際立って立体的に示されるため（地図の縦横方向（平面）よりも高さ方向の高低が強調されるため）、閲覧者は、視覚を通じて直感的に高低差を認識できる。また、１メートル毎の高低差については、色彩を付した紙により視覚的に区別されているため、さらに直感的に高低差を認識することができる。
【産業上の利用可能性】
【００５３】
本願考案の立体地図模型は、ご高齢者、児童等多くの人々が視覚を通じて直感的に認識できる優れた立体地図模型であるので、産業上の利用性を有する。
【符号の説明】
【００５４】
１          住宅地の立体地図模型
１０        基準盤面
１１        平面地図
１２        枠体
２０        発泡樹脂体
３０        木製の薄板体
３１        厚さ１ミリメートルの薄板
３２        厚さ２ミリメートルの薄板
３３        厚さ３ミリメートルの薄板
３４        厚さ４ミリメートルの薄板
３５        厚さ６ミリメートルの薄板
３６        厚さ８ミリメートルの薄板
４０        色彩を付した紙
４１        オレンジ色の紙
４２        びわ色の紙
４３        桃色の紙
４４        りんどう色の紙
４５        藤色の紙
【図１】
0003185106.tif 000003
【図２】
0003185106.tif 000004
【図３】
0003185106.tif 000005